(57)【要約】【課題】食器棚の引き違い戸において、後方引戸と前方引戸とが前後に重なった状態で後方引戸を閉じる操作を行う際、その操作を後方引戸の前方引戸と重ならない開閉端側表面又は裏面で行うようにすることにより、後方引戸の閉操作時の操作性を改善する。【解決手段】引き違い戸１０は、食器棚収納部の出入口の収納部側に配置された後方引戸１２と、反収納部側に配置された前方引戸１１とを備え、後方引戸１２の開閉端側で、且つ収納部側には、後方引戸１２の閉操作を行う取っ手１２Ｍの凹部１２Ｍ２が設けられている。【選択図】図６
2016016087.tif 000002
【特許請求の範囲】
【請求項１】
収納部の出入口を開閉可能とするように引き違い戸を配置した食器棚において、
前記引き違い戸は、前記出入口の収納部側に配置された後方引戸と、反収納部側に配置された前方引戸とを備え、
前記後方引戸の開閉端側で、且つ収納部側には、後方引戸の閉操作を行う操作部が設けられていることを特徴とする食器棚の引き違い戸。
【請求項２】
収納部の出入口を開閉可能とするように引き違い戸を配置した食器棚において、
前記引き違い戸は、前記出入口の収納部側に配置された後方引戸と、反収納部側に配置された前方引戸とを備え、
前記後方引戸の開閉端側には、後方引戸の開閉操作を行う操作部を設け、
前記前方引戸は、前記後方引戸に比べて開閉操作方向における長さを短くされ、
前記後方引戸が全開とされて前記前方引戸と面重ね状態とされたとき、後方引戸の操作部が、後方引戸を閉操作する操作者から見えるように、前方引戸に覆われることなく反収納部側に露出していることを特徴とする食器棚の引き違い戸。
【請求項３】
収納部の出入口を開閉可能とするように引き違い戸を配置した食器棚において、
前記引き違い戸は、前記出入口の収納部側に配置された後方引戸と、反収納部側に配置された前方引戸とを備え、
前記後方引戸には、その開閉端側で、且つ前記前方引戸より反収納部側に突出して、後方引戸の開閉操作を行う操作部が設けられていることを特徴とする食器棚の引き違い戸。
【請求項４】
収納部の出入口を開閉可能とするように引き違い戸を配置した食器棚において、
前記引き違い戸は、前記出入口の収納部側に配置された後方引戸と、反収納部側に配置された前方引戸とを備え、
前記収納部は、各引戸の開閉操作方向に収納空間を分割するように、全閉状態における各引戸の開閉操作方向の境界部に対応する位置に分割壁が設けられ、
該分割壁は、分割壁における前方引戸の開閉端側壁面が、後方引戸が全閉状態にあり、且つ前方引戸が全開状態にあるとき、後方引戸の反開閉端面及び前方引戸の開閉端面に対して各引戸の開閉操作方向で一致した位置となるようにされ、
前記後方引戸に対しては、後方引戸の開位置を規制する規制手段を備え、
該規制手段は、前記後方引戸の開閉端面が、前記分割壁における後方引戸の開閉端側壁面に対して各引戸の開閉操作方向で一致した位置となるように後方引戸の開位置を規制し、
前記後方引戸の開閉端側には、後方引戸の閉操作を行う操作部を設け、
前記後方引戸が全開状態とされて全閉状態の前記前方引戸と面重ね状態とされたとき、後方引戸の操作部が、後方引戸を閉操作する操作者から見えるように、前方引戸に覆われることなく反収納部側に露出していることを特徴とする食器棚の引き違い戸。
【請求項５】
収納部の出入口を開閉可能とするように引き違い戸を配置した食器棚において、
前記引き違い戸は、前記出入口の収納部側に配置された後方引戸と、反収納部側に配置された前方引戸とを備え、
前記各引戸の開閉操作方向における合計長さは、前記出入口の同方向長さに比べて短くされており、
前記後方引戸の開閉端側には、後方引戸の開閉操作を行う操作部を設け、
前記前方引戸の反開閉端と前記後方引戸の反開閉端との間には、両者間の隙間を遮蔽する遮蔽板が設けられ、
該遮蔽板は、前記後方引戸に対して開閉操作方向に摺動自在に支持され、且つ前記後方引戸の全開状態では、前記後方引戸から開閉操作方向への突出量を小さくするように前記後方引戸に沿って摺動され、
前記後方引戸は、開方向への移動を規制されて、その操作部が後方引戸を操作する操作者から見えるように、前方引戸に覆われることなく反収納部側に露出していることを特徴とする食器棚の引き違い戸。
【請求項６】
収納部の出入口を開閉可能とするように引き違い戸を配置した食器棚において、
前記引き違い戸は、前記出入口の収納部側に配置された後方引戸と、反収納部側に配置された前方引戸とを備え、
前記後方引戸に対しては、後方引戸をその開位置において開閉端側へ押し出す押出手段を備え、
前記後方引戸の開閉端側には、後方引戸の開閉操作を行う操作部を設け、
前記後方引戸が全開とされて前記前方引戸と面重ね状態とされたとき、後方引戸の操作部が、後方引戸を閉操作する操作者から見えるように、前方引戸に覆われることなく反収納部側に露出していることを特徴とする食器棚の引き違い戸。
【請求項７】
収納部の出入口を開閉可能とするように引き違い戸を配置した食器棚において、
前記引き違い戸は、前記出入口の収納部側に配置された後方引戸と、反収納部側に配置された前方引戸とを備え、
前記後方引戸の開閉端側及び反開閉端側で、且つ反収納部側には、後方引戸の開閉操作を行う操作部がそれぞれ設けられている食器棚の引き違い戸。
【発明の詳細な説明】
【技術分野】
【０００１】
本発明は、食器棚における収納部の出入口を開閉可能とする引き違い戸に関する。
【背景技術】
【０００２】
下記特許文献１には、収納家具の引き違い戸において、後方引戸を勢いよく開いた際に前方引戸との隙間に指を挟まないようにした発明が開示されている。この発明では、図４４〜４８に示すように、後方引戸１００の開閉端部１０１に引手１１０によって切欠部１１１を形成し、この切欠部１１１を後方引戸１００の開閉操作時の操作部としている。切欠部１１１内には、操作部としての突部１１２が形成されており、その突部１１２の開閉端側は開放空間とされ、突部１１２の反開閉端側には指先を係合させるための凹部１１３が形成されている。そして、後方引戸１００を開く際は、開閉端側から突部１１２に指先を押し当てて操作を行い、後方引戸１００を閉じる際は、凹部１１３に指先を挿入して突部１１２を反開閉端側に引いて操作を行う。
【先行技術文献】
【特許文献】
【０００３】
【特許文献１】特開平９−１６５９４４号公報
【発明の概要】
【発明が解決しようとする課題】
【０００４】
後方引戸１００の開閉操作時の操作部となる突部１１２は、切欠部１１１内で開閉端側から離れた奥側にあり、操作性が悪いという問題点がある。特に、後方引戸１００と前方引戸１２０とが前後に重なった状態で後方引戸１００を閉じる操作を行うときは、表からは見えない突部１１２の奥側にある凹部１１３に指先を挿入する必要があり、特に操作性が悪い。
【０００５】
このような問題に鑑み本発明の課題は、食器棚の引き違い戸において、後方引戸と前方引戸とが前後に重なった状態で後方引戸を閉じる操作を行う際、その操作を後方引戸の前方引戸と重ならない開閉端側表面又は裏面で行うようにすることにより、後方引戸の閉操作時の操作性を改善することにある。
【課題を解決するための手段】
【０００６】
第１発明は、収納部の出入口を開閉可能とするように引き違い戸を配置した食器棚において、前記引き違い戸は、前記出入口の収納部側に配置された後方引戸と、反収納部側に配置された前方引戸とを備え、前記後方引戸の開閉端側で、且つ収納部側には、後方引戸の閉操作を行う操作部が設けられていることを特徴とする。
【０００７】
第１発明によれば、後方引戸を開状態から閉操作するときは、収納部側の操作部によって前方引戸に影響されることなく操作を行うことができる。そのため、後方引戸の閉操作時の操作性を改善することができる。
【０００８】
第２発明は、収納部の出入口を開閉可能とするように引き違い戸を配置した食器棚において、前記引き違い戸は、前記出入口の収納部側に配置された後方引戸と、反収納部側に配置された前方引戸とを備え、前記後方引戸の開閉端側には、後方引戸の開閉操作を行う操作部を設け、前記前方引戸は、前記後方引戸に比べて開閉操作方向における長さを短くされ、前記後方引戸が全開とされて前記前方引戸と面重ね状態とされたとき、後方引戸の操作部が、後方引戸を閉操作する操作者から見えるように、前方引戸に覆われることなく反収納部側に露出していることを特徴とする。
【０００９】
第２発明によれば、後方引戸が全開とされて前方引戸と面重ね状態、即ち各引戸の面同士が互いに重なり合った状態とされたとき、前方引戸は後方引戸に比べて開閉操作方向における長さが短いため、後方引戸の操作部は、前方引戸に覆われることなく反収納部側に露出している。そのため、後方引戸を全開状態から閉操作するとき、後方引戸の操作部は、前方引戸に影響されることなく操作することができる。従って、後方引戸の閉操作時の操作性を改善することができる。
【００１０】
第３発明は、収納部の出入口を開閉可能とするように引き違い戸を配置した食器棚において、前記引き違い戸は、前記出入口の収納部側に配置された後方引戸と、反収納部側に配置された前方引戸とを備え、前記後方引戸には、その開閉端側で、且つ前記前方引戸より反収納部側に突出して、後方引戸の開閉操作を行う操作部が設けられていることを特徴とする。
【００１１】
第３発明によれば、後方引戸を閉状態から開操作するとき、並びに開状態から閉操作するとき、前方引戸より反収納部側に突出した操作部によって、前方引戸に影響されることなく各操作を行うことができる。そのため、後方引戸の開閉操作時の操作性を改善することができる。
【００１２】
第４発明は、収納部の出入口を開閉可能とするように引き違い戸を配置した食器棚において、前記引き違い戸は、前記出入口の収納部側に配置された後方引戸と、反収納部側に配置された前方引戸とを備え、前記収納部は、各引戸の開閉操作方向に収納空間を分割するように、全閉状態における各引戸の開閉操作方向の境界部に対応する位置に分割壁が設けられ、該分割壁は、分割壁における前方引戸の開閉端側壁面が、後方引戸が全閉状態にあり、且つ前方引戸が全開状態にあるとき、後方引戸の反開閉端面及び前方引戸の開閉端面に対して各引戸の開閉操作方向で一致した位置となるようにされ、前記後方引戸に対しては、後方引戸の開位置を規制する規制手段を備え、該規制手段は、前記後方引戸の開閉端面が、前記分割壁における後方引戸の開閉端側壁面に対して各引戸の開閉操作方向で一致した位置となるように後方引戸の開位置を規制し、前記後方引戸の開閉端側には、後方引戸の閉操作を行う操作部を設け、前記後方引戸が全開状態とされて全閉状態の前記前方引戸と面重ね状態とされたとき、後方引戸の操作部が、後方引戸を閉操作する操作者から見えるように、前方引戸に覆われることなく反収納部側に露出していることを特徴とする。
【００１３】
第４発明によれば、後方引戸が全開とされて前方引戸と面重ね状態とされたとき、後方引戸の開位置が規制されるため、後方引戸の操作部は、前方引戸に覆われることなく反収納部側に露出している。そのため、後方引戸を全開状態から閉操作するとき、後方引戸の操作部は、前方引戸に影響されることなく操作することができる。従って、後方引戸の閉操作時の操作性を改善することができる。しかも、後方引戸が全閉状態にあり、且つ前方引戸が全開状態にあるとき、並びに後方引戸が全開状態にあり、且つ前方引戸が全閉状態にあるときのいずれにおいても、食器棚の出入口が各引戸によって狭められることがないように、各引戸及び分割壁の位置関係が設定されている。そのため、収納部への収納物の出し入れを容易にすることができる。
【００１４】
第５発明は、収納部の出入口を開閉可能とするように引き違い戸を配置した食器棚において、前記引き違い戸は、前記出入口の収納部側に配置された後方引戸と、反収納部側に配置された前方引戸とを備え、前記各引戸の開閉操作方向における合計長さは、前記出入口の同方向長さに比べて短くされており、前記後方引戸の開閉端側には、後方引戸の開閉操作を行う操作部を設け、前記前方引戸の反開閉端と前記後方引戸の反開閉端との間には、両者間の隙間を遮蔽する遮蔽板が設けられ、該遮蔽板は、前記後方引戸に対して開閉操作方向に摺動自在に支持され、且つ前記後方引戸の全開状態では、前記後方引戸から開閉操作方向への突出量を小さくするように前記後方引戸に沿って摺動され、前記後方引戸は、開方向への移動を規制されて、その操作部が後方引戸を操作する操作者から見えるように、前方引戸に覆われることなく反収納部側に露出していることを特徴とする。
【００１５】
第５発明によれば、両引戸が共に全閉状態とされたとき、両引戸間が離間していても、遮蔽板によって両引戸間の隙間は覆われ、隙間から収納部内に埃や虫が侵入することを防止できる。また、後方引戸の全開状態においては、遮蔽板はその突出量が小さくされるため、遮蔽板があるにも係わらず、後方引戸の全開時の位置を収納部の開口面積を大きくする側に移動することができる。そのため、収納部への収納物の出し入れを容易にすることができる。しかも、後方引戸が全開とされて前方引戸と面重ね状態とされたとき、後方引戸は開方向への移動を規制されているため、後方引戸の操作部は、前方引戸に覆われることなく反収納部側に露出している。そのため、後方引戸を全開状態から閉操作するとき、後方引戸の操作部は、前方引戸に影響されることなく操作することができる。従って、後方引戸の閉操作時の操作性を改善することができる。
【００１６】
第６発明は、収納部の出入口を開閉可能とするように引き違い戸を配置した食器棚において、前記引き違い戸は、前記出入口の収納部側に配置された後方引戸と、反収納部側に配置された前方引戸とを備え、前記後方引戸に対しては、後方引戸をその開位置において開閉端側へ押し出す押出手段を備え、前記後方引戸の開閉端側には、後方引戸の開閉操作を行う操作部を設け、前記後方引戸が全開とされて前記前方引戸と面重ね状態とされたとき、後方引戸の操作部が、後方引戸を閉操作する操作者から見えるように、前方引戸に覆われることなく反収納部側に露出していることを特徴とする。
【００１７】
第６発明によれば、後方引戸が全開とされて前方引戸と面重ね状態とされたとき、後方引戸の開位置が開閉端側へ押し出されるため、後方引戸の操作部は、前方引戸に覆われることなく反収納部側に露出している。そのため、後方引戸を全開状態から閉操作するとき、後方引戸の操作部は、前方引戸に影響されることなく操作することができる。従って、後方引戸の閉操作時の操作性を改善することができる。
【００１８】
第７発明は、収納部の出入口を開閉可能とするように引き違い戸を配置した食器棚において、前記引き違い戸は、前記出入口の収納部側に配置された後方引戸と、反収納部側に配置された前方引戸とを備え、前記後方引戸の開閉端側及び反開閉端側で、且つ反収納部側には、後方引戸の開閉操作を行う操作部がそれぞれ設けられていることを特徴とする。
【００１９】
第７発明によれば、後方引戸の開閉端側及び反開閉端側にそれぞれ操作部が設けられているため、両引戸が面重ね状態とされて後方引戸の両操作部が共に前方引戸の後方に隠れない限り、後方引戸の２つの操作部のうちどちらかが前方引戸に覆われることなく反収納部側に露出している。そのため、後方引戸の露出している操作部は、前方引戸に影響されることなく操作することができる。従って、後方引戸の開閉操作時の操作性を改善することができる。
【図面の簡単な説明】
【００２０】
【図１】本発明の第１実施形態としての食器棚の斜視図である。
【図２】上記食器棚の縦断面図である。
【図３】上記食器棚における引き違い戸部分の拡大正面図である。
【図４】上記引き違い戸における取っ手（操作部）周辺の拡大斜視図である。
【図５】上記引き違い戸の開閉操作説明図であり、両引戸が閉じられた状態を示す。
【図６】上記引き違い戸の開閉操作説明図であり、後方引戸が開かれた状態を示す。
【図７】上記引き違い戸の開閉操作説明図であり、前方引戸が開かれた状態を示す。
【図８】本発明の第２実施形態の引き違い戸における開閉操作説明図であり、両引戸が閉じられた状態を示す。
【図９】上記第２実施形態の引き違い戸における開閉操作説明図であり、後方引戸が開かれた状態を示す。
【図１０】上記第２実施形態の引き違い戸の開閉操作説明図であり、前方引戸が開かれた状態を示す。
【図１１】本発明の第３実施形態の引き違い戸における開閉操作説明図であり、両引戸が閉じられた状態を示す。
【図１２】上記第３実施形態の引き違い戸における開閉操作説明図であり、後方引戸が開かれた状態を示す。
【図１３】上記第３実施形態の引き違い戸の開閉操作説明図であり、前方引戸が開かれた状態を示す。
【図１４】本発明の第４実施形態の引き違い戸における開閉操作説明図であり、両引戸が閉じられた状態を示す。
【図１５】上記第４実施形態の引き違い戸における開閉操作説明図であり、後方引戸が開かれた状態を示す。
【図１６】上記第４実施形態の引き違い戸の開閉操作説明図であり、前方引戸が開かれた状態を示す。
【図１７】本発明の第５実施形態の引き違い戸における開閉操作説明図であり、両引戸が閉じられた状態を示す。
【図１８】上記第５実施形態の引き違い戸における開閉操作説明図であり、後方引戸が開かれた状態を示す。
【図１９】上記第５実施形態の引き違い戸の開閉操作説明図であり、前方引戸が開かれた状態を示す。
【図２０】本発明の第６実施形態の引き違い戸における開閉操作説明図であり、両引戸が閉じられた状態を示す。
【図２１】上記第６実施形態の引き違い戸における開閉操作説明図であり、後方引戸が開かれた状態を示す。
【図２２】上記第６実施形態の引き違い戸の開閉操作説明図であり、前方引戸が開かれた状態を示す。
【図２３】本発明の第７実施形態の引き違い戸における開閉操作説明図であり、両引戸が閉じられた状態を示す。
【図２４】上記第７実施形態の引き違い戸における開閉操作説明図であり、後方引戸が開かれた状態を示す。
【図２５】上記第７実施形態の引き違い戸の開閉操作説明図であり、前方引戸が開かれた状態を示す。
【図２６】本発明の第８実施形態の引き違い戸における開閉操作説明図であり、両引戸が閉じられた状態を示す。
【図２７】上記第８実施形態の引き違い戸における開閉操作説明図であり、後方引戸が開かれた状態を示す。
【図２８】上記第８実施形態の引き違い戸の開閉操作説明図であり、前方引戸が開かれた状態を示す。
【図２９】本発明の第９実施形態の引き違い戸における開閉操作説明図であり、両引戸が閉じられた状態を示す。
【図３０】上記第９実施形態の引き違い戸における開閉操作説明図であり、後方引戸が開かれた状態を示す。
【図３１】上記第９実施形態の引き違い戸の開閉操作説明図であり、前方引戸が開かれた状態を示す。
【図３２】本発明の第１０実施形態の引き違い戸における開閉操作説明図であり、両引戸が閉じられた状態を示す。
【図３３】上記第１０実施形態の引き違い戸における開閉操作説明図であり、後方引戸が開かれた状態を示す。
【図３４】上記第１０実施形態の引き違い戸の開閉操作説明図であり、前方引戸が開かれた状態を示す。
【図３５】本発明の第１１実施形態の引き違い戸における正面図である。
【図３６】上記第１１実施形態の引き違い戸における主要部の拡大斜視図である。
【図３７】本発明の第１１実施形態の引き違い戸における開閉操作説明図であり、両引戸が閉じられた状態を示す。
【図３８】上記第１１実施形態の引き違い戸における開閉操作説明図であり、後方引戸が開かれた状態を示す。
【図３９】上記第１１実施形態の引き違い戸における開閉操作説明図であり、後方引戸が開かれた状態で、僅かに閉方向に突出された状態を示す。
【図４０】上記第１１実施形態の引き違い戸の開閉操作説明図であり、前方引戸が開かれた状態を示す。
【図４１】本発明の第１２実施形態の引き違い戸における開閉操作説明図であり、両引戸が閉じられた状態を示す。
【図４２】上記第１２実施形態の引き違い戸における開閉操作説明図であり、後方引戸が開かれた状態を示す。
【図４３】上記第１２実施形態の引き違い戸における開閉操作説明図であり、図４１に対して各引戸の開閉位置が逆となって両引戸が閉じられた状態を示す。
【図４４】本発明の従来例である収納家具の引き違い戸の斜視図である。
【図４５】上記従来例の引き違い戸における操作部周辺の拡大斜視図である。
【図４６】上記従来例の引き違い戸における操作部単体の正面図である。
【図４７】上記従来例の引き違い戸における操作部単体の側面図である。
【図４８】図４６のＸＸＸＸＶＩＩＩ−ＸＸＸＸＶＩＩＩ線断面図である。
【発明を実施するための形態】
【００２１】
<第１実施形態>
図１〜７は、本発明の第１実施形態を示す。第１実施形態は、一般的な食器棚における引き違い戸に本発明を適用した例を示す。
【００２２】
図１、２のように、食器棚１は、上部に棚構造の収納部２を備え、下部に引出構造の引出部３を備える。収納部２と引出部３との間には空間が形成され、フリースペースとされている。収納部２は、外壁板２１（図５参照）によって前方開放の箱状に形成され、その内部は、内部空間が内壁板２２（図５参照）によって左右に２分割され、分割された左右の各空間は適当枚数の棚板２４によって上下に分割されている（図２参照）。
【００２３】
このように構成された収納部２の出入口となる外壁板２１及び内壁板２２の前方には、図５のように、アルミニウム合金製で枠状のレール２３が固定され、そのレール２３には、引き違い戸１０がそれぞれのレール溝に嵌められて配置されている。引き違い戸１０は、収納部２の出入口の収納部側に配置された後方引戸１２と、反収納部側に配置された前方引戸１１とを備えている。両引戸１１、１２の基本的構成は、左右方向で線対称に構成されている。各引戸１１、１２は、アルミニウム合金製の外枠１１Ｂ、１２Ｂと、各引戸１１、１２の開閉操作を行う際の操作部となる、アルミニウム合金製の取っ手１１Ｍ、１２Ｍとによって外形が形成されている。そして、外枠１１Ｂ、１２Ｂと取っ手１１Ｍ、１２Ｍとによって形成される枠内にガラス板１１Ｃ、１２Ｃが嵌め込まれている。取っ手１１Ｍ、１２Ｍは、図４のように、各引戸１１、１２の上下に配置された外枠１１Ｂ、１２Ｂに固定されている。
【００２４】
取っ手１１Ｍ、１２Ｍは、図５〜７のように、各引戸１１、１２の開閉端部１１Ｅ、１２Ｅから突出して形成された先端部１１Ｍ１、１２Ｍ１を備えている。先端部１１Ｍ１、１２Ｍ１は、反収納部側に向けて開放された凹部１１Ｍ０、１２Ｍ０を備えるように湾曲形成されている。また、先端部１１Ｍ１、１２Ｍ１の収納部側にも凹部１１Ｍ２、１２Ｍ２を備えている。各凹部１１Ｍ０、１２Ｍ０、１１Ｍ２、１２Ｍ２は収納部２の奥行方向で非対称に形成されている。即ち、反収納部側の凹部１１Ｍ０、１２Ｍ０に比べて、収納部側の凹部１１Ｍ２、１２Ｍ２は凹形状の開口面積を大きくされている。そのため、取っ手１１Ｍ、１２Ｍの先端部１１Ｍ１、１２Ｍ１を反収納部側に湾曲させて、収納部側の凹部１１Ｍ２、１２Ｍ２における凹形状の開口面積を大きくしても指かかりを確保できるようにしている。なお、取っ手１１Ｍ、１２Ｍは、各引戸１１、１２の開閉端部１１Ｅ、１２Ｅの上下幅全体に設けられ、操作場所が上下方向で限定されないようにして操作性を良くしている。
【００２５】
以上のように構成された引き違い戸１０において、前方引戸１１を開閉するときは、取っ手１１Ｍの凹部１１Ｍ０に指を挿入して開閉操作を行う。前方引戸１１を開くときは、凹部１１Ｍ０内の反開閉端側壁面を押して操作し、前方引戸１１を閉じるときは、凹部１１Ｍ０内の開閉端側壁面を押して操作する。図５、６は前方引戸１１が閉じられた状態であり、図７は前方引戸１１が開かれた状態である。なお、前方引戸１１を閉じるときは、凹部１１Ｍ２内に指を挿入して操作することもできる。
【００２６】
一方、後方引戸１２を開閉するときは、取っ手１２Ｍの凹部１２Ｍ０、１２Ｍ２に指を挿入して開閉操作を行う。後方引戸１２を開くときは、凹部１２Ｍ０内の反開閉端側壁面を押して操作し、後方引戸１２を閉じるときは、収納部側の凹部１２Ｍ２内の開閉端側壁面を押して操作する。図５、７は後方引戸１２が閉じられた状態であり、図６は後方引戸１２が開かれた状態である。後方引戸１２を閉じるとき、途中からは凹部１２Ｍ０に指を挿入して操作することもできる。
【００２７】
以上のように、後方引戸１２を開状態から閉操作するときは、収納部側の凹部１２Ｍ２によって前方引戸１１に影響されることなく操作を行うことができる。そのため、後方引戸１２の閉操作時の操作性を改善することができる。その上、取っ手１２Ｍは、収納部側の凹部１２Ｍ２における凹形状の開口面積がより大きくされているため、図６のように前方引戸１１が全閉状態、且つ後方引戸１２が全開状態において後方引戸１２を閉操作するとき、取っ手１２Ｍと内壁板２２の出入口側端部との間のスペースが大きく確保され、凹部１２Ｍ２への指の挿入が容易にされている。
【００２８】
<第２実施形態>
図８〜１０は、本発明の第２実施形態を示す。第２実施形態が第１実施形態に対して特徴とする点は、取っ手と内壁板の形状を変更した点である。その他の構成は実質的に両者同一であり、同一部分についての再度の説明は省略する。なお、第１実施形態の場合と同様、前方引戸１１の取っ手１１Ｊと後方引戸１２の取っ手１２Ｊは、左右対称に形成されている。従って、以下の説明では後方引戸１２の取っ手１２Ｊについてのみ説明し、前方引戸１１の取っ手１１Ｊについての説明は省略する。
【００２９】
第１実施形態における後方引戸１２の取っ手１２Ｍは、反収納部側の凹部１２Ｍ０と収納部側の凹部１２Ｍ２が非対称とされているのに対し、第２実施形態における後方引戸１２の取っ手１２Ｊでは反収納部側の凹部１２Ｊ０と収納部側の凹部１２Ｊ２が線対称に形成されている。また、第２実施形態における内壁板２２Ａでは、収納部２の出入口側端部が斜めにカットされてカット部２２Ａ１が形成されている。
【００３０】
第２実施形態では、その他にも細部において第１実施形態に対して相違している。一つはレール２３や前方引戸１１の外枠１１Ｈ、後方引戸１２の外枠１２Ｈの形状である。また、前方引戸１１の取っ手１１Ｊ、後方引戸１２の取っ手１２Ｊの先端に、レール２３の側壁との間の隙間を小さくする隙詰めを設けている。更に、前方引戸１１の外枠１１Ｈの収納部２側にも、後方引戸１２の外枠１２Ｈとの間の隙間を小さくする隙詰めを設けている。
【００３１】
図８のように、閉じられている後方引戸１２を開操作するときは、取っ手１２Ｊの反収納部側の凹部１２Ｊ０に指を入れて操作が行われる。この操作は、第１実施形態の場合と同様である。一方、図９のように、前方引戸１１が全閉状態で、且つ後方引戸１２が全開状態において、後方引戸１２を閉操作するときは、取っ手１２Ｊの収納部側の凹部１２Ｊ２に指を入れて操作が行われる。このとき、内壁板２２Ａの出入口側端部にカット部２２Ａ１が形成されているため、取っ手１２Ｊと内壁板２２Ａの出入口側端部とのスペースが拡大されて、凹部１２Ｊ２への指の挿入が容易となる。即ち、操作性が改善される。
【００３２】
なお、第２実施形態では、内壁板２２Ａにカット部２２Ａ１を形成して取っ手１２Ｊと内壁板２２Ａの出入口側端部とのスペースを拡大したが、カット部２２Ａ１におけるカット形状を斜めとせず、内壁板２２Ａの出入口側端部の反収納部側への突出量を抑える構造としても同様の作用効果を達成することができる。
【００３３】
<第３実施形態>
図１１〜１３は、本発明の第３実施形態を示す。第３実施形態が第１実施形態に対して特徴とする点は、取っ手の形状を変更した点、並びに収納部２の開口広さに対する各引戸の開閉操作方向の長さを大きくした点である。その他の構成は両者同一であり、同一部分についての再度の説明は省略する。なお、第１実施形態の場合と同様、前方引戸１１の取っ手１１Ｌと後方引戸１２の取っ手１２Ｌは、左右対称に形成されている。従って、以下の説明では後方引戸１２の取っ手１２Ｌについてのみ説明し、前方引戸１１の取っ手１１Ｌについての説明は省略する。
【００３４】
第１実施形態における後方引戸１２の取っ手１２Ｍは、その先端部１２Ｍ１が湾曲形成されていたのに対し、第３実施形態における後方引戸１２の取っ手１２Ｌの先端部１２Ｌ１は直線的に形成されている。
【００３５】
図１１のように、閉じられている後方引戸１２を開操作するときは、取っ手１２Ｌの正面側の凹部１２Ｌ０に指を入れて操作が行われる。この操作は、第１実施形態の場合と同様である。一方、図１２のように、前方引戸１１が全閉状態で、且つ後方引戸１２が全開状態において、後方引戸１２を閉操作するときは、取っ手１２Ｌの収納部側の凹部１２Ｌ２に指を入れて操作が行われる。このとき、取っ手１２Ｌの収納部側の凹部１２Ｌ２の開口面積が大きくされていること、並びに取っ手１２Ｌが内壁板２２に対応する位置より後方引戸１２の閉側へ食み出していることにより、取っ手１２Ｌと内壁板２２の出入口側端部との間のスペースが大きくされ、凹部１２Ｌ２への指の挿入が容易にされている。即ち、操作性が改善されている。
【００３６】
<第４実施形態>
図１４〜１６は、本発明の第４実施形態を示す。第４実施形態が第３実施形態に対して特徴とする点は、取っ手の形状を変更した点である。その他の構成は両者同一であり、同一部分についての再度の説明は省略する。なお、第１実施形態の場合と同様、前方引戸１１の取っ手１１Ｎと後方引戸１２の取っ手１２Ｎは、左右対称に形成されている。従って、以下の説明では後方引戸１２の取っ手１２Ｎについてのみ説明し、前方引戸１１の取っ手１１Ｎについての説明は省略する。
【００３７】
第３実施形態における後方引戸１２の取っ手１２Ｌは、反収納部側と収納部側の各凹部１２Ｌ０、１２Ｌ２が後方引戸１２のガラス板１２Ｃと平行に形成された先端部１２Ｌ１の両面に分けて形成されているのに対し、第４実施形態における後方引戸１２の取っ手１２Ｎの反収納部側と収納部側の各凹部１２Ｎ０、１２Ｎ２は後方引戸１２のガラス板１２Ｃに対して収納部２の前後方向に波打つように形成された先端部１２Ｎ１の両面に分けて形成されている。
【００３８】
図１４のように全閉状態とされた後方引戸１２を開操作するときは、反収納部側の凹部１２Ｎ０に指を入れて操作される。また、図１５のように全開状態とされた後方引戸１２を閉操作するときは、収納部側の凹部１２Ｎ２に指を入れて操作される。このとき、収納部側の凹部１２Ｎ２は、反収納部側の凹部１２Ｎ０よりも後方引戸１２の開閉端側に配置されているため、図１５の状態で収納部側の凹部１２Ｎ２に操作者が指を入れるとき、内壁板２２との干渉が抑制され、指の挿入が容易にでき、操作性を改善することができる。
【００３９】
<第５実施形態>
図１７〜１９は、本発明の第５実施形態を示す。第５実施形態が第１実施形態に対して特徴とする点は、取っ手の形状を変更した点と、前方引戸１１の開閉操作方向における長さを後方引戸１２に比べて短くした点である。その他の構成は両者同一であり、同一部分についての再度の説明は省略する。なお、第１実施形態の場合と同様、前方引戸１１の取っ手１１Ａと後方引戸１２の取っ手１２Ａは、左右対称に形成されている。従って、以下の説明では後方引戸１２の取っ手１２Ａについてのみ説明し、前方引戸１１の取っ手１１Ａについての説明は省略する。
【００４０】
第１実施形態における後方引戸１２の取っ手１２Ｍは、反収納部側と収納部側の両側に凹部１２Ｍ０、１２Ｍ２が設けられていたのに対し、第５実施形態における後方引戸１２の取っ手１２Ａでは、凹部１２Ａ０が操作者に面する反収納部側にのみ設けられている。
【００４１】
図１７のように、閉じられている後方引戸１２を開操作するときは、取っ手１２Ａの反収納部側の凹部１２Ａ０に指を入れて操作が行われる。このとき、後方引戸１２の取っ手１２Ａは、前方引戸１１に覆われることなく操作者側に露出している。そのため、図１７のように後方引戸１２が閉じている状態から図１８のように開かれたとき、取っ手１２Ａの凹部１２Ａ０に挿入している操作者の指が前方引戸１１の反開閉端との間に挟まれることは回避できる。また、図１８のように後方引戸１２が開かれている状態から図１７のように閉じようとするとき、前方引戸１１の開閉操作方向における長さを後方引戸１２に比べて短くしたため、取っ手１２Ａの凹部１２Ａ０に操作者が指を挿入することは容易となり、操作性が改善される。
【００４２】
<第６実施形態>
図２０〜２２は、本発明の第６実施形態を示す。第６実施形態が第５実施形態に対して特徴とする点は、取っ手と前方引戸の外枠の形状を変更した点である。その他の構成は両者同一であり、同一部分についての再度の説明は省略する。なお、第１実施形態の場合と同様、前方引戸１１の取っ手１１Ｉと後方引戸１２の取っ手１２Ｈは、左右対称に形成されている。従って、以下の説明では後方引戸１２の取っ手１２Ｈについてのみ説明し、前方引戸１１の取っ手１１Ｉについての説明は省略する。
【００４３】
第５実施形態における後方引戸１２の取っ手１２Ａは、凹部１２Ａ０の断面形状が概ね角形であるのに対し、第６実施形態における後方引戸１２の取っ手１２Ｈは凹部１２Ｈ０の断面形状が扇形である。また、第５実施形態における前方引戸１１の外枠１１Ｂは、その断面形状が概ね角形であるのに対し、第６実施形態における前方引戸１１の外枠１１Ｆは、その断面形状が尖頭形状である。
【００４４】
第６実施形態の引き違い戸１０においても、第５実施形態における引き違い戸１０の開閉操作の様子を示した図１７〜１９に対応して、図２０〜２２に示すように、第５実施形態の場合と同様の作用効果を達成することができる。その上、後方引戸１２の取っ手１２Ｈは凹部１２Ｈ０の断面形状が扇形とされているため、凹部１２Ｈ０内に操作者が指を挿入したとき、指が扇形の湾曲面に当接することで必要以上に奥まで入らないようにして操作性を改善することができる。
【００４５】
<第７実施形態>
図２３〜２５は、本発明の第７実施形態を示す。第７実施形態が第１実施形態に対して特徴とする点は、取っ手の形状を変更した点である。その他の構成は両者同一であり、同一部分についての再度の説明は省略する。なお、第１実施形態の場合と同様、前方引戸１１の取っ手１１Ｑと後方引戸１２の取っ手１２Ｑは、左右対称に形成されている。従って、以下の説明では後方引戸１２の取っ手１２Ｑについてのみ説明し、前方引戸１１の取っ手１１Ｑについての説明は省略する。
【００４６】
第７実施形態においては、取っ手１２Ｑが概ね断面Ｌ字形状に形成されており、Ｌ字形状の一片が後方引戸１２の開閉端部１２Ｅにおいて前方引戸１１の位置を越えてレール２３の反収納部側から突出して形成されている。
【００４７】
図２３のように全閉状態とされた後方引戸１２を開操作するときは、取っ手１２Ｑの先端部１２Ｑ１を指で摘んで操作される。また、図２４のように全開状態とされた後方引戸１２を閉操作するときも、取っ手１２Ｑの先端部１２Ｑ１を指で摘んで操作される。そのため、図２４のように後方引戸１２を全開状態として、両引戸１１、１２が互いに面重ね状態とされて、収納部２の開口面積を大きくしているときでも、後方引戸１２の取っ手１２Ｑの操作は、前方引戸１１に影響されることなく行うことができ、操作性を改善することができる。
【００４８】
<第８実施形態>
図２６〜２８は、本発明の第８実施形態を示す。第８実施形態が第７実施形態に対して特徴とする点は、取っ手の形状を変更した点である。その他の構成は両者同一であり、同一部分についての再度の説明は省略する。なお、第１実施形態の場合と同様、前方引戸１１の取っ手１１Ｐと後方引戸１２の取っ手１２Ｐは、左右対称に形成されている。従って、以下の説明では後方引戸１２の取っ手１２Ｐについてのみ説明し、前方引戸１１の取っ手１１Ｐについての説明は省略する。
【００４９】
第８実施形態の取っ手１２Ｐは、第７実施形態の取っ手１２Ｑに比べて、先端部１２Ｐ１を成すＬ字形状の一片の板厚が厚く形成されている。しかも、突出した取っ手１２Ｐの先端部１２Ｐ１は、Ｌ字形状の内角側が断面円弧状に切り取られて先細に形成されている。第８実施形態の取っ手１２Ｐの操作性については、第７実施形態の取っ手１２Ｑと同様である。
【００５０】
<第９実施形態>
図２９〜３１は、本発明の第９実施形態を示す。第９実施形態が第５実施形態に対して特徴とする点は、前方引戸１１と後方引戸１２の開閉操作方向における長さを互いに同一とした点、並びに内壁板２２の位置を後方引戸１２の開閉端側に偏倚させた点である。図２９〜３１において内壁板２２に対応して記載された二点鎖線は、引き違い戸１０を備えた収納部２の幅方向（前方引戸１１と後方引戸１２の開閉操作方向）の中間位置にある中心線を示す。その他の構成は両者同一であり、同一部分についての再度の説明は省略する。なお、第１実施形態の場合と同様、前方引戸１１の取っ手１１Ａと後方引戸１２の取っ手１２Ａは、左右対称に形成されている。従って、以下の説明では後方引戸１２の取っ手１２Ａについてのみ説明し、前方引戸１１の取っ手１１Ａについての説明は省略する。
【００５１】
第９実施形態においては、内壁板２２（第４発明における分割壁に相当）は、内壁板２２における前方引戸１１の開閉端側壁面２２ａが、図３１のように後方引戸１２が全閉状態にあり、且つ前方引戸１１が全開状態にあるとき、後方引戸１２の反開閉端面１２Ｂａ及び前方引戸１１の開閉端面１１Ａａに対して、各引戸１１、１２の開閉操作方向で一致した位置となるようにされている。また、後方引戸１２のレール溝に対応してスペーサ１０Ｃ（第４発明における規制手段に相当）が設けられている。スペーサ１０Ｃは、後方引戸１２が開放されたときの開位置を規制するように、後方引戸１２のレール溝の上部に設けられている。但し、スペーサ１０Ｃを設ける位置は、後方引戸１２の開位置を規制することができる位置であれば限定されない。
【００５２】
図３０のように後方引戸１２が開放されたとき、後方引戸１２の反開閉端面１２Ｂａがスペーサ１０Ｃに当接して開位置を規制されると、後方引戸１２の開閉端面１２Ａａが、内壁板２２における後方引戸１２の開閉端側壁面２２ｂに対して各引戸１１、１２の開閉操作方向で一致した位置となり、後方引戸１２の取っ手１２Ａの凹部１２Ａ０が前方引戸１１に覆われることなく露出した状態とされる。そのため、後方引戸１２が閉じている状態から開かれたとき、取っ手１２Ａの凹部１２Ａ０に挿入している操作者の指が前方引戸１１の反開閉端との間に挟まれることは回避できる。また、後方引戸１２が開かれている状態から閉じようとするとき、取っ手１２Ａの凹部１２Ａ０に操作者が指を挿入することは容易となり、操作性が改善される。また、後方引戸１２の開位置がスペーサ１０Ｃによって規制されるのに合わせて、内壁板２２の位置が後方引戸１２の開閉端側に偏倚されているため、図３０のように後方引戸１２が全開状態にあるとき、並びに図３１のように前方引戸１１が全開状態にあるとき、収納部２の出入口は各引戸１１、１２に狭められることなく全開とされ、収納部２内への収納物の出し入れを容易に行なうことができる。
【００５３】
<第１０実施形態>
図３２〜３４は、本発明の第１０実施形態を示す。第１０実施形態が第５実施形態に対して特徴とする点は、前方引戸１１と後方引戸１２の開閉操作方向における長さを互いに同一とし、且つ各引戸１１、１２間に遮蔽板１０Ａを設けた点である。その他の構成は両者同一であり、同一部分についての再度の説明は省略する。なお、第１実施形態の場合と同様、前方引戸１１の取っ手１１Ａと後方引戸１２の取っ手１２Ａは、左右対称に形成されている。従って、以下の説明では後方引戸１２の取っ手１２Ａについてのみ説明し、前方引戸１１の取っ手１１Ａについての説明は省略する。
【００５４】
遮蔽板１０Ａは、後方引戸１２の外枠１２Ｆに対して後方引戸１２の開閉操作方向に摺動自在に支持されている。また、遮蔽板１０Ａの先端部１０Ａ１は、図３２のように、前方引戸１１の外枠１１Ｇの反開閉端に係合可能に構成されている。更に、遮蔽板１０Ａに対応する前方引戸１１の取っ手１１Ａの収納部２側には円形ゴム製のストッパ１０Ｂが設けられ、後方引戸１２が図３３、３４のように前方引戸１１と面重ね状態とされたとき、遮蔽板１０Ａの先端部１０Ａ１はストッパ１０Ｂに当接可能に構成されている。しかも、ストッパ１０Ｂは後方引戸１２の反開閉端にも当接可能に構成されている。
【００５５】
図３２のように、各引戸１１、１２が共に全閉状態とされたとき、遮蔽板１０Ａは先端部１０Ａ１が前方引戸１１の外枠１１Ｇに係合して引っ張られ、後方引戸１２の外枠１２Ｆから最大限突出した状態とされる。この状態では、両引戸１１、１２間の隙間が遮蔽板１０Ａによって覆われ、隙間から収納部２内に埃や虫が侵入することを防止できる。また、図３３、３４のように、各引戸１１、１２が互いに面重ね状態とされたとき、遮蔽板１０Ａの先端部１０Ａ１はストッパ１０Ｂに当接して、遮蔽板１０Ａは突出状態から後方引戸１２の外枠１２Ｆに沿って摺動され収納状態とされる。そのため、遮蔽板１０Ａがあるにも係わらず、後方引戸１２の全開時及び全閉時の位置を収納部２の開口面積を大きくする側に遮蔽板１０Ａを移動することができる。その結果、収納部２への収納物の出し入れを容易にすることができる。このとき、後方引戸１２は、その反開閉端がストッパ１０Ｂに当接して相対移動を規制され、後方引戸１２の取っ手１２Ａは、その先端部１２Ａ１が前方引戸１１に覆われることなく露出した状態とされる。そのため、後方引戸１２が閉じている状態から開かれたとき、取っ手１２Ａの凹部１２Ａ０に挿入している操作者の指が前方引戸１１の反開閉端との間に挟まれることは回避できる。また、後方引戸１２が開かれている状態から閉じようとするとき、取っ手１２Ａの凹部１２Ａ０に操作者が指を挿入することは容易となり、操作性が改善される。
【００５６】
<第１１実施形態>
図３５〜４０は、本発明の第１１実施形態を示す。第１１実施形態が第５実施形態に対して特徴とする点は、前方引戸１１と後方引戸１２の開閉操作方向における長さを互いに同一とした点、並びに後方引戸１２のレール溝に対応してプッシュラッチ１０Ｄ（第６発明における押出手段に相当）を設けた点である。その他の構成は両者同一であり、同一部分についての再度の説明は省略する。なお、第１実施形態の場合と同様、前方引戸１１の取っ手１１Ａと後方引戸１２の取っ手１２Ａは、左右対称に形成されている。従って、以下の説明では後方引戸１２の取っ手１２Ａについてのみ説明し、前方引戸１１の取っ手１１Ａについての説明は省略する。
【００５７】
図３５、３６のように、プッシュラッチ１０Ｄは、後方引戸１２の開位置に対応するレール溝２３Ａ上部に埋設して設けられている。プッシュラッチ１０Ｄは周知のものであり、プッシュラッチ１０Ｄの先端に当接するように設けられた後方引戸１２上の受部（不図示）がプッシュラッチ１０Ｄの先端を押圧すると、押圧の都度、交互に受部を跳ね返すように押し出すものである。そのため、後方引戸１２が開放されたときは、図３８のように、各引戸１１、１２が互いに面重ね状態とされる。このとき、収納部２の出入口は各引戸１２に狭められることなく全開とされ、収納部２内への収納物の出し入れを容易に行なうことができる。この状態で、図３８の白抜き矢印のように、後方引戸１２の取っ手１２Ａの開閉端を押圧すると、プッシュラッチ１０Ｄの作用により図３９の白抜き矢印のように、後方引戸１２が押し出される。その結果、後方引戸１２の取っ手１２Ａの凹部１２Ａ０が前方引戸１１に覆われることなく露出した状態とされる。そのため、後方引戸１２が開かれている状態から閉じようとするとき、取っ手１２Ａの凹部１２Ａ０に操作者が指を挿入することは容易となり、操作性が改善される。なお、プッシュラッチ１０Ｄを設ける位置は、開位置に達した後方引戸１２の動きを受け止める位置であれば良く、上記位置に限定されない。
【００５８】
<第１２実施形態>
図４１〜４３は、本発明の第１２実施形態を示す。第１２実施形態が第５実施形態に対して特徴とする点は、取っ手を各引戸１１、１２の開閉端側に加えて反開閉端側にも設けた点と、各引戸１１、１２の開閉操作方向における長さを両者同一とした点である。その他の構成は両者同一であり、同一部分についての再度の説明は省略する。なお、両引戸１１、１２は基本的に同一構成であり、以下の説明では後方引戸１２についてのみ説明し、前方引戸１１についての説明は省略する。但し、前方引戸１１は後方引戸１２と同一構成としなくても良い。例えば、第５実施形態と同様に、前方引戸１１は開閉端側にのみ取っ手を設け、反開閉端側には取っ手を設けない構成としても良い。
【００５９】
後方引戸１２には、第５実施形態と同様、その開閉端部１２Ｅに操作部としての取っ手１２Ａが設けられ、反開閉端側にも取っ手１２Ａと対称形を成すように操作部としての取っ手１２Ｒが設けられている。取っ手１２Ｒは、反収納部側が窪まされた凹部１２Ｒ０が設けられ、この凹部１２Ｒ０に指を挿入して後方引戸１２を開閉操作可能とされている。
【００６０】
第１２実施形態では、後方引戸１２の開閉端側及び反開閉端側にそれぞれ取っ手１２Ａ、１２Ｒが設けられているため、両引戸１１、１２が面重ね状態とされて後方引戸１２の両取っ手１２Ａ、１２Ｒが共に前方引戸１１の後方に隠れない限り、後方引戸１２の２つの取っ手１２Ａ、１２Ｒのうちどちらかが前方引戸１１に覆われることなく反収納部側に露出している。そのため、後方引戸１２の露出している取っ手１２Ａ、１２Ｒは、前方引戸１１に影響されることなく操作することができる。従って、後方引戸１２の開閉操作時の操作性を改善することができる。
【００６１】
第１２実施形態では、後方引戸１２の開閉端側及び反開閉端側にそれぞれ取っ手１２Ａ、１２Ｒが設けられ、前方引戸１１にも同様に２つの取っ手１１Ａ、１１Ｒが設けられているため、両引戸１１、１２を共に全閉にした状態は、図４１、４３いずれの状態でも実現できる。
【００６２】
後方引戸１２には周知のクローザ機能（不図示）を備えても良い。それにより、後方引戸１２が全開又は全閉状態となる手前で開閉操作を止めても、後方引戸１２は自動でゆっくり全開又は全閉状態とすることができる。その結果、後方引戸１２の開閉操作のために取っ手１２Ａ、１２Ｒの凹部１２Ａ０、１２Ｒ０に挿入していた指が、後方引戸１２が全開又は全閉状態となるときに前方引戸１１の先端部１１Ａ１、１１Ｒ１との間に挟まれる恐れがなくなる。
【００６３】
後方引戸１２には、第１１実施形態と同様のプッシュラッチ（不図示）を設けても良い。それにより、図４２のように両引戸１１、１２が完全に揃った面重ね状態とされたとき、後方引戸１２の先端部１２Ａ１を押すことにより、後方引戸１２を前方引戸１１と位置ずれするようにプッシュラッチの作用により押し出させることができる。その結果、後方引戸１２の取っ手１２Ａの凹部１２Ａ０が前方引戸１１に覆われることなく露出した状態とされる。そのため、取っ手１２Ａの凹部１２Ａ０に操作者が指を挿入することは容易となり、後方引戸１２の開閉操作の操作性が改善される。
【００６４】
<各実施形態のまとめ>
第１〜４実施形態は第１発明に対応し、第５、６実施形態は第２発明に対応し、第７、８実施形態は第３発明に対応し、第９実施形態は第４発明に対応し、第１０実施形態は第５発明に対応し、第１１実施形態は第６発明に対応し、第１２実施形態は第７発明に対応する。
【００６５】
<変形例>
以上、特定の実施形態について説明したが、本発明は、それらの外観、構成に限定されず、本発明の要旨を変更しない範囲で種々の変更、追加、削除が可能である。例えば、上記各実施形態では、取っ手１１Ａ〜１１Ｒ、１２Ａ〜１２Ｒをアルミニウム合金製としたが、樹脂製、或いは他の金属製としても良い。
【００６６】
また、第２実施形態では取っ手１２Ｊの先端部１２Ｊ１等に隙間ができ難くする隙詰めを設け、その他の実施形態ではそのような隙詰めを設けていないが、その他の実施形態でも第２実施形態と同様の隙詰めを設けても良い。
【００６７】
更に、第９実施形態では後方引戸１２の開位置を規制するスペーサ１０Ｃを設けたが、その他の実施形態でも同様の構成を採用しても良い。それによって各後方引戸１２の取っ手１２Ａ〜１２Ｒの操作性を更に改善するように後方引戸１２の位置を調整することができる。同様に、第１０実施形態では前方引戸１１の取っ手１１Ａにストッパ１０Ｂを設け、各引戸１１、１２の相対位置を規制するようにしたが、その他の実施形態でも同様の構成を採用しても良い。それによって各後方引戸１２の取っ手１２Ａ〜１２Ｒの操作性を更に改善するように各引戸１１、１２の相対位置を調整することができる。
【符号の説明】
【００６８】
１      食器棚
２      収納部
３      引出部
１０    引き違い戸
１０Ａ  遮蔽板
１０Ａ１  先端部
１０Ｂ  ストッパ
１０Ｃ  スペーサ（規制手段）
１０Ｄ  プッシュラッチ（押出手段）
１１    前方引戸
１１Ａ、１１Ｉ、１１Ｊ、１１Ｋ、１１Ｌ、１１Ｍ、１１Ｎ、１１Ｐ、１１Ｑ、１１Ｒ
取っ手
１１Ａ０、１１Ｉ０、１１Ｊ０、１１Ｋ０、１１Ｌ０、１１Ｍ０、１１Ｎ０、１１Ｐ０、１１Ｑ０、１２Ｊ２、１２Ｋ２、１２Ｌ２、１２Ｍ２、１２Ｎ２  凹部
１１Ｂ、１１Ｆ、１１Ｇ、１１Ｈ  外枠
１１Ｃ  ガラス板
１１Ｅ  開閉端部
１２    後方引戸
１２Ａ、１２Ｈ、１２Ｊ、１２Ｋ、１２Ｌ、１２Ｍ、１２Ｎ、１２Ｐ、１２Ｑ、１２Ｒ
取っ手（操作部）
１２Ａ０、１２Ｈ０、１２Ｊ０、１２Ｋ０、１２Ｌ０、１２Ｍ０、１２Ｎ０、１２Ｐ０、１２Ｑ０  凹部
１１Ｒ１、１２Ａ１、１２Ｈ１、１２Ｊ１、１２Ｋ１、１２Ｌ１、１２Ｍ１、１２Ｎ１、１２Ｐ１、１２Ｑ１  先端部
１２Ｂ、１２Ｆ、１２Ｈ  外枠
１２Ｃ  ガラス板
１２Ｅ  開閉端部
２１    外壁板
２２、２２Ａ  内壁板（分割壁）
２２Ａ１  カット部
２３    レール
２３Ａ  レール溝
２４    棚板
【図１】
2016016087.tif 000003
【図２】
2016016087.tif 000004
【図３】
2016016087.tif 000005
【図４】
2016016087.tif 000006
【図５】
2016016087.tif 000007
【図６】
2016016087.tif 000008
【図７】
2016016087.tif 000009
【図８】
2016016087.tif 000010
【図９】
2016016087.tif 000011
【図１０】
2016016087.tif 000012
【図１１】
2016016087.tif 000013
【図１２】
2016016087.tif 000014
【図１３】
2016016087.tif 000015
【図１４】
2016016087.tif 000016
【図１５】
2016016087.tif 000017
【図１６】
2016016087.tif 000018
【図１７】
2016016087.tif 000019
【図１８】
2016016087.tif 000020
【図１９】
2016016087.tif 000021
【図２０】
2016016087.tif 000022
【図２１】
2016016087.tif 000023
【図２２】
2016016087.tif 000024
【図２３】
2016016087.tif 000025
【図２４】
2016016087.tif 000026
【図２５】
2016016087.tif 000027
【図２６】
2016016087.tif 000028
【図２７】
2016016087.tif 000029
【図２８】
2016016087.tif 000030
【図２９】
2016016087.tif 000031
【図３０】
2016016087.tif 000032
【図３１】
2016016087.tif 000033
【図３２】
2016016087.tif 000034
【図３３】
2016016087.tif 000035
【図３４】
2016016087.tif 000036
【図３５】
2016016087.tif 000037
【図３６】
2016016087.tif 000038
【図３７】
2016016087.tif 000039
【図３８】
2016016087.tif 000040
【図３９】
2016016087.tif 000041
【図４０】
2016016087.tif 000042
【図４１】
2016016087.tif 000043
【図４２】
2016016087.tif 000044
【図４３】
2016016087.tif 000045
【図４４】
2016016087.tif 000046
【図４５】
2016016087.tif 000047
【図４６】
2016016087.tif 000048
【図４７】
2016016087.tif 000049
【図４８】
2016016087.tif 000050